(57)【要約】【課題】  箸先部に人の口が触れたときの違和感がなく、かつ、食べ物を容易に摘むことができる箸を提供する。【解決手段】  箸１は、一対の箸片２、２からなり、各箸片２は、持手部３が、横断面略正方形形状を有するとともに、箸先部４が、横断面略正方形形状を有する。ここで、持手部３の横断面略正方形形状と箸先部４の横断面略正方形形状とが、互いに箸片２の軸回りに角度を振った位置関係にある。そして、箸片２は、箸先部４の先端に、保護層６を有し、かつ、その保護層６を覆うようにして箸先部４に、その表面が滑らかとなる塗料層５を有する。【選択図】  図５
2014136109.tif 000002
【特許請求の範囲】
【請求項１】
一対の箸片からなり、各箸片は、持手部が、横断面略正方形形状を有するとともに、箸先部が、横断面略正方形形状を有し、かつ、それら持手部の横断面略正方形形状と箸先部の横断面略正方形形状とが、互いに箸片の軸回りに角度を振った位置関係にあり、
前記箸片は、前記箸先部の先端に、保護層を有し、かつ、その保護層を覆うようにして前記箸先部に、その表面が滑らかとなる塗料層を有する、箸。
【請求項２】
前記持手部の横断面略正方形形状と前記箸先部の横断面略正方形形状とは、互いに箸片の軸回りに４５°角度を振った位置関係にある、請求項１に記載の箸。
【発明の詳細な説明】
【技術分野】
【０００１】
この発明は、食べ物を摘みやすくした箸に関するものである。
【背景技術】
【０００２】
従来、食べ物を摘みやすくした箸として、箸先部の表面に、粉状物を含む漆層を備えた箸があった（例えば、特許文献１参照）。図７に示すように、この箸２１は、箸先部２２の表面の漆層２３が、漆によって木粉等の粉状物２３ａが塗り固められて形成されており、その漆層２３の表面には、粉状物２３ａによって僅かな凹凸を有していた。そして、この表面の凹凸により、この箸２１で食べ物を摘んだときの滑りを防止することができた。
【先行技術文献】
【特許文献】
【０００３】
【特許文献１】特開２０１０−２７４００３号公報
【発明の概要】
【発明が解決しようとする課題】
【０００４】
しかし、前記従来の箸２１にあっては、箸先部２２の表面の凹凸が僅かではあったが、箸先部２２に人の口が触れたときに、その凹凸による違和感が若干あった。
【０００５】
この発明は、上記した従来の欠点を解決するためになされたものであり、その目的とするところは、箸先部に人の口が触れたときの違和感がなく、かつ、食べ物を容易に摘むことができる箸を提供することにある。
【課題を解決するための手段】
【０００６】
この発明に係る箸は、前記目的を達成するために、次の構成からなる。すなわち、
請求項１に記載の発明に係る箸は、一対の箸片からなり、各箸片は、持手部が、横断面略正方形形状を有するとともに、箸先部が、横断面略正方形形状を有し、かつ、それら持手部の横断面略正方形形状と箸先部の横断面略正方形形状とが、互いに箸片の軸回りに角度を振った位置関係にある。そして、前記箸片は、前記箸先部の先端に、保護層を有し、かつ、その保護層を覆うようにして前記箸先部に、その表面が滑らかとなる塗料層を有する。
【０００７】
この箸によると、各箸片の箸先部に、塗料層を有し、その表面が滑らかとなることから、箸先部に人の口が触れたときの違和感がない。そして、この箸は、各箸片の持手部が横断面略正方形形状を有しているため、一対の箸片、つまり箸を持ったとき、持手部においては、横断面略正方形形状の面同士が向かい合う。そして、持手部の横断面略正方形形状と、箸先部の横断面略正方形形状とが、互いに箸片の軸回りに角度を振った位置関係にあることから、両箸先部の向かい合う側において、その箸先部の横断面略正方形形状の角部同士が互いに相手の箸先部側に突出し、その角部で食べ物を摘むことができる。このため、箸先部の表面が滑らかであるにも拘わらず、その箸先部によって食べ物を容易に摘むことができる。しかも、箸片は、箸先部の先端に、保護層を有することから、箸の耐久性を向上させることができる。
【０００８】
また、請求項２に記載の発明に係る箸のように、請求項１に記載の箸において、前記持手部の横断面略正方形形状と前記箸先部の横断面略正方形形状とは、互いに箸片の軸回りに４５°角度を振った位置関係にあるのが望ましい。こうして、持手部の横断面略正方形形状と箸先部の横断面略正方形形状とを、互いに箸片の軸回りに４５°角度を振った位置関係にすることで、箸を持ったとき、互いに相手の箸先部側に突出する角部同士が、両箸先部の対向方向において互いに向かい合うこととなる。このため、箸先部の表面が滑らかであるにも拘わらず、箸先部によって食べ物を一層容易に摘むことができる。
【発明の効果】
【０００９】
この発明に係る箸によれば、箸先部に、表面が滑らかとなる塗料層を有するとともに、箸を持ったとき、箸先部における横断面略正方形形状の角部同士が互いに相手の箸先部側に突出することから、箸先部に人の口が触れたときの違和感がなく、かつ、食べ物を容易に摘むことができ、しかも、箸先部の保護層によって、耐久性が向上している。
【図面の簡単な説明】
【００１０】
【図１】この発明の一実施の形態の箸の正面図である。
【図２】同じく、図１におけるＡ−Ａ線による拡大断面図である。
【図３】同じく、図１におけるＢ−Ｂ線による拡大断面図である。
【図４】同じく、図１におけるＣ−Ｃ線による拡大断面図である。
【図５】同じく、箸の使用状態を示す正面図である。
【図６】同じく、図５におけるＤ−Ｄ線による拡大断面図である。
【図７】従来の箸の正面図である。
【発明を実施するための形態】
【００１１】
以下、この発明に係る箸を実施するための形態を図面に基づいて説明する。
【００１２】
図１〜図６は、本発明の一実施の形態を示す。図中符号１は、箸を示す。２は、前記箸１を構成する一対の箸片を示す。
【００１３】
箸１は、一対の箸片２、２からなり、図３および図４に示すように、各箸片２は、持手部３が、横断面略正方形形状を有するとともに、箸先部４が、横断面略正方形形状を有する。ここにおいて、持手部３の横断面略正方形形状と箸先部４の横断面略正方形形状とが、互いに箸片２の軸回りに角度を振った位置関係、つまりねじれた位置関係（図示実施の形態においては、４５°角度を振った位置関係）にある。そして、持手部３の横断面略正方形形状の角部３ａは、弧状に面取りされて形成されている。
【００１４】
また、箸片２は、箸先部４に、その表面が滑らかとなる塗料層５を有する。詳細には、図２に示すように、箸片２は、箸先部４の先端に、保護層６を有し、かつ、その保護層６を覆うようにして箸先部４に、その表面が滑らかとなる塗料層５を有する。より詳細には、箸片２は、その箸片本体２ａの先端に（つまり、箸先部４の先端に相当する箸片本体２ａの先端に）、一段下がった段部２ｂを有し、その段部２ｂを埋めるように、前記保護層６が設けられる。そして、図示実施の形態においては、この保護層６には、粉状物６ａが含まれている。
【００１５】
具体的には、箸片２は、その木地である箸片本体２ａが、木とか竹等の天然の素材からなる。この箸片本体２ａは、箸先部４が横断面略正方形形状を有するように、箸片素材に対し、先端側が、削り（切削とかやすりがけ）により、横断面略正方形形状に形成されている。また、箸片２は、その箸片本体２ａの先端に、一段下がった段部２ｂを有し、その段部２ｂを埋めるように、前記保護層６が設けられる（図２参照）。この保護層６は、軸心方向の長さが、例えば、１ｍｍ〜５ｍｍの範囲内にあり、厚みが、例えば、０．５ｍｍ前後となっている。この保護層６における粉状物６ａは、乾漆粉、木粉、竹粉、米粉、コルク粉等の、一種あるいは複数種からなる。そして、この粉状物６ａは、例えば、漆によって箸片本体２ａの先端に定着される。
【００１６】
また、箸片２は、木固めされた木固め層７を有し、前記塗料層５は、箸先部４において木固め層７を覆うように設けられる。この木固め層７を形成する木固め材としては、漆とか合成樹脂が挙げられる。図示実施の形態においては、この木固め層７は、保護層６を覆うようにして箸片２全体に設けられる。そして、この木固め層７上に、塗料層５および後述する塗料層９が設けられる。もっとも、木固め層７は、保護層６が形成される前に、箸片２全体に設けられてもよい。また、木固め層７は、保護層６を除く箸片２全体に設けられてもよい。
【００１７】
箸先部４における塗料層５は、塗り（塗り仕上げ）によるものであり、例えば、生漆、透漆、黒漆、糊漆、絞漆等の漆からなる。もっとも、塗料層５は、漆の他に、合成樹脂の塗料からなっていてもよい。
【００１８】
また、図示実施の形態においては、箸片２は、天頂部８にも塗料層９を有している。この塗料層９は、箸先部４の塗料層５と同様に、塗り（塗り仕上げ）によるものであり、例えば、生漆、透漆、黒漆、糊漆、絞漆等の漆とか、合成樹脂の塗料からなる。
【００１９】
次に、以上の構成からなる箸１の作用効果について説明する。この箸１によると、各箸片２の箸先部４に、塗料層５を有し、その表面が滑らかとなることから、箸先部４に人の口が触れたときの違和感がない。そして、この箸１は、各箸片２の持手部３が横断面略正方形形状を有しているため、一対の箸片２、２、つまり箸１を持ったとき、持手部３においては、横断面略正方形形状の面同士が向かい合う。そして、持手部３の横断面略正方形形状と、箸先部４の横断面略正方形形状とが、互いに箸片２の軸回りに角度を振った位置関係にあることから、両箸先部４、４の向かい合う側において、その箸先部４、４の横断面略正方形形状の角部４ａ、４ａ同士が互いに相手の箸先部４、４側に突出し、その角部４ａ、４ａで食べ物１０を摘むことができる（図５、図６参照）。このため、箸先部４の表面が滑らかであるにも拘わらず、その箸先部４、４によって食べ物１０を容易に摘むことができる。すなわち、箸先部４に、表面が滑らかとなる塗料層５を有するとともに、箸１を持ったとき、箸先部４、４における横断面略正方形形状の角部４ａ、４ａ同士が互いに相手の箸先部４、４側に突出することから、箸先部４に人の口が触れたときの違和感がなく、かつ、食べ物１０を容易に摘むことができる。
【００２０】
また、図示実施の形態においては、持手部３の横断面略正方形形状と箸先部４の横断面略正方形形状とを、互いに箸片２の軸回りに４５°角度を振った位置関係にすることで、箸１を持ったとき、互いに相手の箸先部４、４側に突出する角部４ａ、４ａ同士が、両箸先部４、４の対向方向において互いに向かい合うこととなる。このため、箸先部４の表面が滑らかであるにも拘わらず、箸先部４、４によって食べ物１０を一層容易に摘むことができる。
【００２１】
また、箸片２は、箸先部４の先端に、保護層６を有することから、箸１の耐久性を向上させることができる。特に、図示実施の形態においては、保護層６が粉状物６ａを含むことから、箸１の耐久性を一層向上させることができる。しかも、箸片２は、その箸片本体２ａの先端に、一段下がった段部２ｂを有し、その段部２ｂを埋めるように保護層６が設けられることで、箸先部４における保護層６のある部分と他の部分とを段差なく繋げることができ、また、保護層６の厚さを充分確保することができる。
【００２２】
なお、本発明は、上述した実施の形態に限定されるわけではなく、その他種々の変更が可能である。例えば、持手部３の横断面略正方形形状と箸先部４の横断面略正方形形状とが、互いに箸片２の軸回りに４５°角度を振った位置関係にあるが、この角度は、４５°に限るものではない。
【００２３】
また、持手部３の横断面略正方形形状の角部３ａは、弧状に面取りされて形成されているが、この面取りはなくともよい。そして、持手部３の横断面略正方形形状とは、横断面正方形形状を含むものであるが、その横断面略正方形形状においては、各面は、平らでなくとも、若干丸みを帯びていてもよい。同様に、箸先部４の横断面略正方形形状とは、横断面正方形形状を含むものであるが、その横断面略正方形形状においては、各面は、平らでなくとも、若干丸みを帯びていてもよい。
【００２４】
また、箸片２は、箸先部４に塗料層５を有し、天頂部８に塗料層９を有して、持手部３を含む中間部分は、木固め層７が露出しているが、箸片２全体に渡って塗料層を有するようにしていもよい。
【００２５】
また、箸片２は、木固め層７を有するが、この木固め層７は、なくともよい。そして、箸片本体２ａは、天然の素材からならなくとも、合成樹脂等からなっていてもよい。
【００２６】
また、箸片２は、その箸片本体２ａの先端に段部２ｂを有し、その段部２ｂを埋めるように保護層６が設けられるが、この段部２ｂを設けることなく箸片本体２ａの先端に保護層６を設けることで、箸先部４の先端に保護層６を有するようにしてもよい。また、この保護層６には、粉状物６ａが含まれるが、この粉状物６ａはなくともよい。
【符号の説明】
【００２７】
１  箸
２  箸片
３  持手部
３ａ  角部
４  箸先部
４ａ  角部
５  塗料層
６  保護層
１０  食べ物
【図１】
2014136109.tif 000003
【図２】
2014136109.tif 000004
【図３】
2014136109.tif 000005
【図４】
2014136109.tif 000006
【図５】
2014136109.tif 000007
【図６】
2014136109.tif 000008
【図７】
2014136109.tif 000009